(57)【特許請求の範囲】
【請求項１】
植付けた植物株（Ｋ）を生育栽培するための栽培床（５）と、この栽培床（５）に植付けた植物株（Ｋ）を上から吊って設定の高さに支持する誘引吊部材（１３）とからなる植物栽培設備において、
上記植物株（Ｋ）の生長点となる所定の高さ位置に冷暖熱を作用する第一の熱作用部（５２）と、この熱作用部（５２）の側方を仕切ってカバーする遮蔽カーテン（３４）と、同植物株（Ｋ）の根域となる部位に冷暖熱を作用する第二の熱作用部（５２ｒ）と、同植物株（Ｋ）の生育状態を検出するモニタリング部（５１ｍ，９０，４０，９１）と、このモニタリング部（５１ｍ，９０，４０，９１）の検出情報による植物株（Ｋ）の生育状態の診断結果に基づいて上記第一および第二の熱作用部（５２，５２ｒ）を個別に温度管理する部位別温度制御部（５１ｐ）とを設け、
前記モニタリング部（５１ｍ，９０，４０，９１）は、カメラ（５１ｍ）を備え、カメラ（５１ｍ）の撮影画像に基づいて、第１葉から第４葉までの間の茎の伸長量と茎径を計測し、茎径が所定範囲内で茎の伸長量が所定範囲内であれば、生長点付近の目標設定温度を維持し、茎径が所定範囲内で茎の伸長量が所定範囲よりも小であるか、又は茎径が所定範囲内よりも太い場合は、生長点付近の目標設定温度を低下させる構成としたことを特徴とする植物栽培設備。
【請求項２】
植付けた植物株（Ｋ）を生育栽培するための栽培床（５）と、この栽培床（５）に植付けた植物株（Ｋ）を上から吊って設定の高さに支持する誘引吊部材（１３）とからなる植物栽培設備において、
上記植物株（Ｋ）の生長点となる所定の高さ位置に冷暖熱を作用する第一の熱作用部（５２）と、この熱作用部（５２）の側方を仕切ってカバーする遮蔽カーテン（３４）と、同植物株（Ｋ）の根域となる部位に冷暖熱を作用する第二の熱作用部（５２ｒ）と、同植物株（Ｋ）の生育状態を検出するモニタリング部（５１ｍ，９０，４０，９１）と、このモニタリング部（５１ｍ，９０，４０，９１）の検出情報による植物株（Ｋ）の生育状態の診断結果に基づいて上記第一および第二の熱作用部（５２，５２ｒ）を個別に温度管理する部位別温度制御部（５１ｐ）とを設け、
上記モニタリング部は、日射量センサ（４０）と、生長点付近の温度を測定する生長点温度センサ（９０）と、生長点付近の湿度を測定する生長点湿度センサ（９１）を備え、日射量センサ（４０）により測定される日射量と、生長点温度センサ（９０）により測定される生長点付近の温度と、生長点湿度センサ（９１）により測定される生長点付近の湿度に基づいて植物の葉温を演算し、葉温が設定葉温よりも高い場合は生長点付近を冷却し、葉温が設定葉温よりも低い場合は生長点付近を暖房する構成としたことを特徴とする植物栽培設備。
【請求項３】
植付けた植物株（Ｋ）を生育栽培するための栽培床（５）と、この栽培床（５）に植付けた植物株（Ｋ）を上から吊って設定の高さに支持する誘引吊部材（１３）とからなる植物栽培設備において、
上記植物株（Ｋ）の生長点となる所定の高さ位置に冷暖熱を作用する第一の熱作用部（５２）と、この熱作用部（５２）の側方を仕切ってカバーする遮蔽カーテン（３４）と、同植物株（Ｋ）の根域となる部位に冷暖熱を作用する第二の熱作用部（５２ｒ）と、同植物株（Ｋ）の生育状態を検出するモニタリング部（５１ｍ，９０，４０，９１）と、このモニタリング部（５１ｍ，９０，４０，９１）の検出情報による植物株（Ｋ）の生育状態の診断結果に基づいて上記第一および第二の熱作用部（５２，５２ｒ）を個別に温度管理する部位別温度制御部（５１ｐ）とを設け、
熱作用部の配管（５４）には、放熱保護用の保護筒（５５）を移動可能に設けたことを特徴とする植物栽培設備。
【請求項４】
植付けた植物株（Ｋ）を生育栽培するための栽培床（５）と、この栽培床（５）に植付けた植物株（Ｋ）を上から吊って設定の高さに支持する誘引吊部材（１３）とからなる植物栽培設備において、
上記植物株（Ｋ）の生長点となる所定の高さ位置に冷暖熱を作用する第一の熱作用部（５２）と、この熱作用部（５２）の側方を仕切ってカバーする遮蔽カーテン（３４）と、同植物株（Ｋ）の根域となる部位に冷暖熱を作用する第二の熱作用部（５２ｒ）と、同植物株（Ｋ）の生育状態を検出するモニタリング部（５１ｍ，９０，４０，９１）と、このモニタリング部（５１ｍ，９０，４０，９１）の検出情報による植物株（Ｋ）の生育状態の診断結果に基づいて上記第一および第二の熱作用部（５２，５２ｒ）を個別に温度管理する部位別温度制御部（５１ｐ）とを設け、
給液配管（６１）内の養液を養液混合タンク（６２）まで戻す還流管（６３）により、給液を停止してから次に給液するまでの間に養液を循環する構成としたことを特徴とする植物栽培設備。
【請求項５】
前記モニタリング部は、さらに日射量センサ（４０）と、生長点付近の温度を測定する生長点温度センサ（９０）と、生長点付近の湿度を測定する生長点湿度センサ（９１）を備え、日射量センサ（４０）により測定される日射量と、生長点温度センサ（９０）により測定される生長点付近の温度と、生長点湿度センサ（９１）により測定される生長点付近の湿度に基づいて植物の葉温を演算し、葉温が設定葉温よりも高い場合は生長点付近を冷却し、葉温が設定葉温よりも低い場合は生長点付近を暖房する構成とし、
熱作用部の配管（５４）には、放熱保護用の保護筒（５５）を移動可能に設け、
給液配管（６１）内の養液を養液混合タンク（６２）まで戻す還流管（６３）により、給液を停止してから次に給液するまでの間に養液を循環する構成としたことを特徴とする請求項１に記載の植物栽培設備。
【発明の詳細な説明】
【技術分野】
【０００１】
本発明は、植物株を植付ける栽培床にその上部吊り支持部材を備える植物栽培設備に関するものである。
【背景技術】
【０００２】
植物の栽培に関し、植付け株の栽培床に冷熱を供給する冷水管を配設した例（特許文献１）や、その熱源効率を上げるために、植付け株をカバーするカーテンを設けた例（特許文献２）がある。このような栽培床の冷却制御により、植付け株の生育をグループ別に管理して植物の収穫時期調節や地域条件対応の精度を上げることができる。
【先行技術文献】
【特許文献】
【０００３】
【特許文献１】特開２００２−２７２２６２号公報
【特許文献２】特開平１１−２８９８６９号公報
【発明の開示】
【発明が解決しようとする課題】
【０００４】
しかしながら、上記冷却制御のみならず、寒冷期の暖房を含む幅広い温度制御に適用するためには、そのための暖房熱源と暖房用配管が必要となり、多大なコスト増を招くこととなる。また、誘引吊部材を用いるトマトのように上に高く延びる蔓状植物栽培においては、植付け株を覆う大きなカバーと温度管理のために大容量の熱源が必要となる上に、栽培ハウス内における日射量や通風等の局所的な育生条件差に伴う生育遅れや病害虫に対処するための煩雑な作業と多大なコスト負担が避けられないという問題があった。
【０００５】
解決しようとする問題点は、誘引吊部材を用いる植物栽培について、簡易な取扱いと最小限のコストで植付け株の生育のきめ細かな管理ができ、栽培ハウス内における日射量や通風等の局所的な育生条件差を補って確実な育生制御を可能とする植物栽培設備を提供することにある。
【課題を解決するための手段】
【０００６】
上記課題を解決するために、請求項１に係る発明は、植付けた植物株（Ｋ）を生育栽培するための栽培床（５）と、この栽培床（５）に植付けた植物株（Ｋ）を上から吊って設定の高さに支持する誘引吊部材（１３）とからなる植物栽培設備において、上記植物株（Ｋ）の生長点となる所定の高さ位置に冷暖熱を作用する第一の熱作用部（５２）と、この熱作用部（５２）の側方を仕切ってカバーする遮蔽カーテン（３４）と、同植物株（Ｋ）の根域となる部位に冷暖熱を作用する第二の熱作用部（５２ｒ）と、同植物株（Ｋ）の生育状態を検出するモニタリング部（５１ｍ，９０，４０，９１）と、このモニタリング部（５１ｍ，９０，４０，９１）の検出情報による植物株（Ｋ）の生育状態の診断結果に基づいて上記第一および第二の熱作用部（５２，５２ｒ）を個別に温度管理する部位別温度制御部（５１ｐ）とを設け、前記モニタリング部は、カメラ（５１ｍ）を備え、カメラ（５１ｍ）の撮影画像に基づいて、第１葉から第４葉までの間の茎の伸長量と茎径を計測し、茎径が所定範囲内で茎の伸長量が所定範囲内であれば、生長点付近の目標設定温度を維持し、茎径が所定範囲内で茎の伸長量が所定範囲よりも小であるか、又は茎径が所定範囲内よりも太い場合は、生長点付近の目標設定温度を低下させる構成としたことを特徴とする。
また、請求項２に係る発明は、モニタリング部は、日射量センサ（４０）と、生長点付近の温度を測定する生長点温度センサ（９０）と、生長点付近の湿度を測定する生長点湿度センサ（９１）を備え、日射量センサ（４０）により測定される日射量と、生長点温度センサ（９０）により測定される生長点付近の温度と、生長点湿度センサ（９１）により測定される生長点付近の湿度に基づいて植物の葉温を演算し、葉温が設定葉温よりも高い場合は生長点付近を冷却し、葉温が設定葉温よりも低い場合は生長点付近を暖房する構成としたことを特徴とする。
また、請求項３に係る発明は、熱作用部の配管（５４）には、放熱保護用の保護筒（５５）を移動可能に設けたことを特徴とする。
また、請求項４に係る発明は、給液配管（６１）内の養液を養液混合タンク（６２）まで戻す還流管（６３）により、給液を停止してから次に給液するまでの間に養液を循環する構成としたことを特徴とする。
また、請求項５に係る発明は、前記請求項１に係る発明のモニタリング部は、さらに日射量センサ（４０）と、生長点付近の温度を測定する生長点温度センサ（９０）と、生長点付近の湿度を測定する生長点湿度センサ（９１）を備え、日射量センサ（４０）により測定される日射量と、生長点温度センサ（９０）により測定される生長点付近の温度と、生長点湿度センサ（９１）により測定される生長点付近の湿度に基づいて植物の葉温を演算し、葉温が設定葉温よりも高い場合は生長点付近を冷却し、葉温が設定葉温よりも低い場合は生長点付近を暖房する構成とし、
熱作用部の配管（５４）には、放熱保護用の保護筒（５５）を移動可能に設け、
給液配管（６１）内の養液を養液混合タンク（６２）まで戻す還流管（６３）により、給液を停止してから次に給液するまでの間に養液を循環する構成としたことを特徴とする。
【発明の効果】
【０００７】
請求項１に係る発明は、部位別温度制御部により、植物の生体情報を計測して生育状態を診断し、植物株の生育状態に応じた第一と第二の熱作用部による部位別の温度管理による効率の良い生育栽培が可能となることから、本システムにより、園芸温室や太陽光利用型植物工場温室の生産性向上において緊急の課題である、夏期の高温障害や冬期の低温障害による収穫量の減少と、温度制御のためのエネルギーコストの増大を同時に解決し、従来の方法（温室全体を温度制御する）と比べて、石油消費量の５０％程度削減と夏期および冬期の収穫量増大（約１割）を実現することができる。また、茎の伸長量と茎径に基づいて効果的に生長点付近の温度制御が行える。
請求項２に係る発明は、演算される植物の葉温に基づいて生長点付近を冷却又は暖房することができる。
請求項３に係る発明は、生育むらを解消することができる。
請求項４に係る発明は、給液配管（６１）内の養液の温度を一定に保つことができ、植物の根圏環境を改善することができる。
請求項５に係る発明は、請求項１に係る発明の効果に加えて、演算される植物の葉温に基づいて生長点付近を冷却又は暖房することができる。また、生育むらを解消することができる。また、給液配管（６１）内の養液の温度を一定に保つことができ、植物の根圏環境を改善することができる。
【図面の簡単な説明】
【０００８】
【図１】温室を西側から見た側面図
【図２】温室を南側から見た側面図
【図３】栽培ベッドを示す断面図
【図４】誘引紐を使用して栽培する方法を判りやすく示す図
【図５】誘引紐ホルダを示す図
【図６】誘引ワイヤと誘引紐ホルダとの関係を示す図
【図７】茎受具を示す図
【図８】従来の茎受具を示す図
【図９】養液供給経路を示す図
【図１０】遮光カーテン及び非開閉式カーテンを判りやすく示す温室の平面図
【図１１】遮光カーテンを示す図
【図１２】養液供給制御のフローチャート
【図１３】暖房装置を判りやすく示す温室の平面図
【図１４】通路上配管を示す図
【図１５】栽培システムの正面断面図
【図１６】配管部の拡大図
【図１７】システム展開図
【図１８】暖房構成の縦断側面図
【図１９】正面断面図
【図２０】要部斜視図
【図２１】システム展開図
【図２２】暖房の配管の部分縦断側面図
【図２３】水耕養液の給液システム展開図
【図２４】イチゴ用栽培ベッドの使用態様（ａ）（ｂ）
【図２５】組立型栽培ベッドの断面図
【発明を実施するための最良の形態】
【０００９】
（基本構成）
この発明の実施の一形態を図面に基づき説明する。
図１及び図２は、植物栽培ハウスとしての温室１を示したものであり、この温室１は、東西南北の四方の側壁２及び天井３を透明のガラスで構成し、ガラス張りになっている。前記温室の南北方向の中央には作業者、作業台車あるいは防除機等が通過することができる通路４を設けており、この通路４は、路面がコンクリ−トで構成されたコンクリ−ト通路で、温室の東端から西端まで東西方向に長く構成されている。通路４の南北に、栽培ベッド５を配置した栽培区域を構成している。通路４の両端部には、温室１への出入口６が構成されている。
【００１０】
温室１内の上部の空間には、温室の南北方向に長く延びる支持具７が地面に並行に東西方向に複数本配置されている。一対の支持管８が支持具７の下に平行に配置され、複数の吊具９で支持具７に吊り下げられている。左右の耳部１０ａがそれぞれの支持管８に掛けられて容器１０が地面から浮くように吊られている。容器１０には、台形に曲げた受板１１が底に入りロックウールで作った栽培ベッド５がその上に載っている。尚、１本の支持具７に対して通路４を挟んで南北に２個の栽培ベッド５が配置され、該栽培ベッド５は、南北の栽培区域においてそれぞれ南北方向に長く延びて東西方向に複数並列に配置された構成となっている。苗を移植したキューブ１２が栽培ベッド５に左右２列に並んで載るようになっている。
【００１１】
キューブ１２から伸長する苗の茎ｋは、上方から吊り下げられた誘引紐１３によって上方へ誘引される。誘引紐１３は、誘引紐ホルダ１４に糸巻状に巻き込まれており、該ホルダ１４から引き出されるようになっている。誘引紐ホルダ１４の上部には誘引フック１４ａを設けており、この誘引フック１４ａを温室１内の上部に栽培ベッド５のキューブ１２の列に沿って南北方向に延びる誘引ワイヤ１５にひっかけて誘引紐ホルダ１４を吊る構成となっている。尚、誘引ワイヤ１５は、栽培ベッド５のキューブ１２の列の数に合わせて東西方向に複数並列に配置された構成となっている。図４に示すように、クリップ１６により誘引紐１３に作物の茎ｋを固定して栽培すると、茎ｋは誘引紐１３をつたって上方へ伸長していく。そして、誘引ワイヤ１５（誘引紐ホルダ１４）の高さまで茎ｋが伸長すると、適宜、誘引紐ホルダ１４から誘引紐１３を繰り出しながら誘引紐ホルダ１４を誘引ワイヤ１５に沿って南北方向の一方側へ栽培ベッド５に沿ってずらし、茎ｋが上方へ伸長するスペ−スをとって栽培する。尚、必要に応じて、適宜作物の茎ｋをクリップ１６により誘引紐に固定していく。
【００１２】
誘引ワイヤ１５は、東西方向に延びる温室１内の複数のラチス１７の上側で該ラチス１７に支持される。従って、誘引紐ホルダ１４の重みにより、誘引ワイヤ１５は、ラチス１７の間で下へ撓んだ状態となる。すると、誘引ワイヤ１５の誘引フック１４ａが誘引ワイヤ１５に沿って該誘引ワイヤ１５の低位側へ移動しやすくなり、図６（ａ）に示すように各苗株の誘引紐ホルダ１４が一箇所に集まるように移動し、誘引ワイヤ１５の適正な位置に誘引紐ホルダ１４を保持できなくなるおそれがある。ところが、前記誘引フック１４ａの誘引ワイヤ１５への係止部には滑りにくい素材であるビニール材１４ｂを接着剤で貼り付けており、誘引フック１４ａと誘引ワイヤ１５との接触抵抗を大きくし、誘引フック１４ａが誘引ワイヤ１５上で滑って移動するのを防止している。従って、各苗株の誘引紐ホルダ１４を誘引ワイヤ１５上で等間隔で適正な位置に配置でき、各苗株の茎部が互いに近づいて密集するようなことを防止でき、各苗株が互いに成育を阻害せずに十分な太陽光を得ることができ、作物を良好に成育することができる。尚、誘引フック１４ａの誘引ワイヤ１５への係止部を、ゴム材にして滑りにくい素材としてもよい。また、誘引ワイヤ１５を滑りにくい素材としてもよい。
【００１３】
図４に示すように、誘引紐ホルダ１４を誘引ワイヤ１５に沿って移動させながら作物を栽培するので、茎ｋが長くなると茎ｋの下部がキューブ１２より下に垂れ下がるおそれがある。そこで、栽培ベッド５の側方に所定間隔おきに茎受具１８を設け、該茎受具１８上に茎ｋを載せて茎ｋの下部が栽培ベッド５に沿って横方向に向くようにしている。この茎受具１８は、中央部１８ａが低位となるように平板を折り曲げて構成され、容器１０内にはめ込んだ後、上側に栽培ベッド５を載置して装着される。茎受具１８の茎受け部分１８ｂは、両端部に構成され栽培ベッド５の左右両側にそれぞれのキューブ１２の列に対応して設けられている。尚、茎受具１８の茎受け部分１８ｂの外端には立ち上がり部１８ｃを設け、この立ち上がり部１８ｃにより茎受具１８に載せた茎ｋが外方へ脱落しないようにしている。茎受具１８は、図７に示すように、平板で構成されているので、前後方向（栽培ベッド５の方向）への回動が規制され、栽培ベッド５に対して茎受け部分１８ｂを適正な位置に維持できる。従来の茎受具１８は、図８に示すように、棒材で構成されているので、前後方向（栽培ベッド５の方向）へ無闇に回動するおそれがあり、栽培ベッド５に対する茎受け部分１８ｂの位置が変化して適正に茎ｋを受けることができないおそれがある。
【００１４】
容器１０の下部で栽培ベッド５の下方の左右幅方向中央には、栽培ベッド５に養液を供給するための給液パイプ１９を栽培ベッド５に沿って南北方向に延設している。給液パイプ１９の上方で栽培ベッド５の下方の位置には、栽培ベッド５からの排液（余剰の養液）を受けて回収する排液ガ−タ−２０を給液パイプ１９と同様に南北方向に延設している。尚、容器１０、栽培ベッド５及び排液ガ−タ−２０はその長手方向（南北方向）に若干傾斜しており、排液ガ−タ−２０で受けた排液が該ガ−タ−２０の一端へ回収されるようになっている。給液パイプ１９からそれぞれのキューブ１２へ養液を供給するそれぞれのドリップホ−ス２１を設け、キューブ１２に移植した苗に養液を供給して作物を栽培するようになっている。
【００１５】
従って、給液パイプ１９を栽培ベッド５及び排液ガ−タ−２０の下方に配置しているので、栽培ベッド５あるいは排液ガ−タ−２０により影になって給液パイプ１９へ太陽光が照射しないので、栽培ベッド５へ供給する養液が高温になるのを防止できる。特に、夏季に養液が異常な高温となるのを防止でき、栽培床となる栽培ベッド５が異常な高温になって栽培に悪影響を及ぼすことを防止できる。また、給液パイプ１９が栽培ベッド５の側方に配置されていないので、温室１内の栽培面積を小さくできると共に、給液パイプ１９が作業者あるいは作業車等による栽培ベッド５の側方からの作業や栽培作物の成育等の邪魔にならない。従来は、吊り下げ式の栽培ベッドの上部側方や栽培ベッドを載せる容器の上側側部の耳部に給液パイプを設けていたので、太陽光が照射により給液パイプの温度が上昇しやすく、栽培ベッドへ供給する養液が高温になることがあった。尚、栽培ベッドの上部側方に給液パイプを設けた場合は、給液パイプが栽培ベッドの側方からの作業の邪魔になったり成育する栽培作物と干渉してその成育を阻害したりするおそれがある。
【００１６】
図９に示すように、養液を貯留するＡタンク２２並びにＢタンク２３及び酸タンク２４からポンプユニット２５を介して給液パイプ１９へ養液が供給される構成となっている。尚、肥料成分の異なる養液をＡタンク２２とＢタンク２３とに貯留し、Ａタンク２２及びＢタンク２３からの肥料成分の異なる養液の混合割合をポンプユニット２５で調整し、所望の肥料成分の養液を得るようになっている。そして、ポンプユニット２５から各栽培ベッド５の給液パイプ１９へ養液が分流される構成であり、作物を栽培しない容器１０あるいは栽培ベッド５がある場合に各給液パイプ１９への給液を停止できる給液停止バルブ２６をそれぞれ設け、該給液停止バルブ２６により無駄に養液を供給することを防止できる。これらの構成を備えて、養液供給装置が構成される。
【００１７】
また、各排液ガ−タ−２０で回収された排液が合流して排液回収タンク２７ヘ貯留され、該排液回収タンク２７から殺菌前タンク２８を介して殺菌装置２９へ供給され、該殺菌装置２９により排液を殺菌する。殺菌装置２９で殺菌された排液は、二次原水タンク３０へ送られて原水に混合されて肥料濃度が調整され、ポンプユニット２５へ供給して養液として再利用できる構成となっている。尚、原水を貯留する一次原水タンク３１から前記二次原水タンク３０へ原水を供給する構成となっている。これにより、二次原水タンク３０で殺菌された排液と原水とを混合しながら肥料濃度が調整できるので、所望の肥料濃度に精度良く調整することができ、従来の排液再利用装置のように肥料濃度が高い養液（排液）をポンプユニット２５を介して給液パイプ１９ひいては栽培ベッド５へ供給してしまうことを防止でき、栽培する苗や作物に肥料焼けが生じるようなことを防止できる。尚、従来の排液再利用装置は、原水を貯留する一次原水タンク及び殺菌装置で殺菌された排液を貯留する殺菌後タンクから直接原水及び排液がポンプユニットへ供給される構成であったので、栽培過程や栽培状況等によって排液の肥料濃度がまちまちであるため、原水と排液との混合割合を調整してポンプユニットへ供給しようとしても排液の肥料濃度の変化が激しくて対応しきれず、再利用する養液の肥料濃度を所望の肥料濃度に精度良く調整することが困難であった。
【００１８】
ポンプユニット２５において、二次原水タンク３０から栽培ベッド５へ養液を供給するポンプ３２を並列に２個設けている。通常は、前記２個のポンプ３２のうち、一方を使用して養液を供給する。そして、使用しているポンプ３２が故障したとき、該ポンプ３２を停止してその吸入口及び吐出口のバルブ３３を閉じ、他方のポンプ３２の吸入口及び吐出口のバルブ３３を開いて該他方のポンプ３２を駆動し、養液供給を継続することができる。これにより、前記ポンプ３２の故障で栽培する植物（作物）が枯れてしまうようなことがなく、良好な栽培を維持することができる。故障しているポンプ３２の吸入口及び吐出口のバルブ３３を閉じているので、他方のポンプ３２により養液供給を継続しながら、故障しているポンプ３２を修理したり良品のポンプと交換したりすることができる。従来は、単一のポンプにより養液を供給するようになっていたので、そのポンプが故障すると養液供給が行えなくなり、植物（作物）の栽培に悪影響を与えるおそれがある。
【００１９】
温室１の天井３部には、南北方向に複数の遮光カーテン３４を所定間隔おきに設けている。この遮光カーテン３４は、スプリング（図示せず）により該遮光カーテン３４の南側に配置した巻取軸３５に巻き取られて開くようになっている。温室１内の北端にはカーテン開閉モータ３６を設けており、該モータ３６の駆動によりカーテン開閉ワイヤ３７を介して複数の遮光カーテン３４を同時に巻取軸３５から引き出す構成となっている。尚、この複数の遮光カーテン３４により、温室１の天井部の全面を遮光することができる。カーテン開閉モータ３６部には、該モータ３６の回転位置により遮光カーテン３４の開閉度（開閉量）を検出する遮光カーテン開閉センサ３８を設けている。温室１内の側壁２部には、ある程度の光を遮るため開閉しない非開閉式カーテン３９を装備している。
【００２０】
温室１外の南側には、日射量センサ４０を設けている。この日射量センサ４０により検出される日射量に基づいて、遮光カーテン開閉センサ３８の検出により遮光カーテン３４が所望の開閉度となるよう、カーテン開閉モータ３６を駆動制御して遮光カーテン３４の開閉度を変更して制御し、日射量が大きいときは遮光カーテン３４を大きく閉じて遮光率を上げるようになっている。
【００２１】
図１２に基づいて養液の供給制御について説明すると、日射量センサ４０の検出により積算日射量を逐次演算し（ステップ１）、積算日射量が給液開始値に達するとポンプユニット２５へ給液信号を出力して所定量の養液を供給するようになっている（ステップ２）。尚、ポンプユニット２５へ給液信号が出力されると、積算日射量をクリアして０に戻す。また、前記給液開始値は、遮光カーテン開閉センサ３８値より遮光カーテン３４が完全に開いた状態（遮光率０）のときは予め設定した所定値となり（ステップ３）、遮光カーテン３４が幾分でも閉じている状態のときは遮光カーテン開閉センサ３８値に基づいて遮光カーテン３４の開閉度に応じて前記予め設定した所定値から加算して補正し（ステップ４）、遮光カーテン３４を閉じ量が大きいほど給液開始値を大きくして養液を供給回数が少なくなるようにしている。
【００２２】
以上により、この栽培施設の養液供給制御装置は、カーテン開閉モータ３６により遮光カ−テン３４の開閉度を変更して調節可能で、積算日射量が給液開始値に達すると所定量の養液を供給するという所定の制御パタ−ンに基づいて自動的に植物へ養液を供給すると共に、遮光カ−テン３４の開閉度に基づいて養液供給の制御パタ−ンを補正して制御している。
【００２３】
従って、この栽培施設の養液供給制御装置は、所定の制御パタ−ンに基づいて自動的に植物へ養液を供給する。そして、遮光カ−テン３４の開閉度が変更されて調節されると、遮光カ−テン３４の開閉度に基づいて養液の供給制御が補正され、養液の供給量の適正化を図ることができる。よって、養液の供給の不適正により栽培する植物に生理障害が生じるのを防止して、植物を良好に栽培することができる。特に、トマトの栽培において、日射量の大きい４月〜６月に生理障害が生じるのを防止でき、良質の作物を栽培することができる。
【００２４】
尚、養液供給の制御パタ−ンを、所定時間に養液を供給するようにし、積算日射量に基づいて養液の供給量を制御するパタ−ンとしてもよい。このときは、遮光カ−テン３４の開閉度に基づいて養液の供給量が補正される構成となる。
【００２５】
尚、この養液供給制御においては、夜間には給液しないように１日のうちの給液可能時間帯を設定し、該給液可能時間帯にのみ養液を供給するようになっている。そして、給液可能時間帯を過ぎたとき（夕方等）、酸タンク２４に貯留した酸を所定時間（５秒間）供給し、ドリップホ−ス２１内を洗浄するようになっている。従来、夜間にドリップホ−ス２１内に養液が貯留されたままになるのでドリップホ−ス２１内に液肥が固結しやすく、ドリップホ−ス２１に目詰まりが生じて翌日の養液供給を円滑に行えないことがあるが、ドリップホ−ス２１内に酸を流して洗浄することにより、この不具合を解消できる。尚、前記酸は、重量濃度１％程度の硝酸等、植物の成育を阻害しない程度のものである。また、ドリップホ−ス２１内に酸を流して洗浄した後に原水を流し、栽培ベッド５に酸が残らないようにして酸により植物の成育を阻害しないようにしてもよい。
【００２６】
ところで、温室１には、冬期等の栽培のために暖房用の温水配管を備える暖房装置４１を設けている。この暖房装置４１は、ボイラー４２からの温水を温室内の東端を介して南端及び北端へ供給する供給配管４３と、該供給配管４３に接続して各栽培ベッド５間で温水を往復させる支配管４４と、該支配管４４から温室１内の南端又は北端を介して東端に合流させて温水をボイラー４２へ戻す戻配管４５とを設けている。また、温室１内の東端の供給配管４３から分岐して通路４上で温水を往復させる通路上配管４６を２本設け、この通路上配管４６からの戻り温水が前記戻配管４５に合流する。この通路上配管４６に供給配管４３からの温水が直接供給されるので、コンクリ−ト通路４上も効率良く暖房することができ、温室内全体の温度むらを少なくして栽培を良好に行える。尚、通路上配管４６を地面から２〜４ｍの高さに設けており、通路での移動に支障にならないようにしている。
【００２７】
（部分冷暖房）
次に、部分冷暖房による植物の生育制御について説明する。
栽培ハウス１において、栽培床５に複数の植物株Ｋ…を列状に植え付け、その上部を上から吊る誘引吊部材１３によって設定の高さに支持し、この植物株Ｋの列方向に沿って所定の高さ部位に冷暖熱を作用する後述の熱作用部５２と、この熱作用部５２の外側方をカバーする遮蔽カーテン３４とを設けた植物栽培設備を構成し、熱作用部５２の位置に植物株Ｋの生長点Ｇが来るように誘引吊部材１３を設定して支持するように構成する。
【００２８】
このように構成することにより、栽培床５に植付けた複数の植物株Ｋ…は、誘引吊部材１３…によってそれぞれ設定高さ位置に支持されるとともに、熱作用部５２により植物株Ｋの所定高さ部位に冷暖熱が作用し、この熱作用は熱作用部５２の外側方をカバーする遮蔽カーテン３４の範囲内に限定される。したがって、熱作用部５２の位置に植物株の生長点Ｇが来るように誘引吊部材１３を設定して支持することにより、植物株Ｋの生育を効率よく制御することができ、複数の栽培床５…を互いに密接して配置した場合でも、隣接部相互の影響無しに個別の栽培制御が可能となることから、簡易な構成によって栽培ハウス内における日射量や通風等の部分的な育生条件差を補って病害虫の事前対処を含む確実な育生制御が可能となる。
【００２９】
具体的には、図１５の栽培システムの正面断面図に示すように、二次暖房兼用型細霧冷房システム５１を付設し、冬季は生長点暖房として使用（必要により根圏用配管５２ｒによる根圏暖房を含む）し、夏期は生長点冷房として生長点Ｇのみを冷却（必要により根圏用配管５２ｒによる根圏冷却を含む）するように、カメラ５１ｍ等を備えるモニタリング部５１ｍ，９０，４０，９１によって自動診断と部位別温度管理する制御部５１ｐを設けて構成する。
【００３０】
生長点付近の画像処理を行い、第１葉から第４葉までの葉間の伸長量と前回の生長点付近の茎径を計測し、茎径が一定範囲に保たれている場合は、伸長量により、基準範囲内なら部位別の設定温度を維持し、基準未満なら温度を下げ、また、茎径が基準値より太い場合は、設定温度を下げ、植物付近に好適温度を維持し効果的な植物部位のみの温度を制御する。また、養液の給液前と後の葉の投影面積を計測し、この投影面積比に基づいて給液前の葉の萎れが基準値より大きいと判断されるときは設定温度を下げ、給液前の葉の萎れが基準値より小さいと判断されるときは設定温度を上げるよう温度制御してもよい。
【００３１】
また、モニタリング部５１ｍ，９０，４０，９１には、生長点付近の温度（言い換えれば、遮蔽カーテン３４でカバーされる範囲の温度）を測定する生長点温度センサ９０と、日射量を測定する日射量センサ４０と、生長点付近の湿度（言い換えれば、遮蔽カーテン３４でカバーされる範囲の湿度）を測定する生長点湿度センサ９１を設ける。
【００３２】
日中において、栽培植物の葉の葉温を摂氏（Ｙ）度とし、生長点温度センサ９０により測定される生長点付近の温度を摂氏（Ｘ１）度とし、日射量センサ４０により測定される単位面積１平方メートル当たりの日射量を（Ｘ２）ｋＷとし、生長点湿度センサ９１の測定から得られる生長点付近の絶対湿度と生長点付近における飽和水蒸気量との差（飽差）を（Ｘ３）ｍｍＨｇとすると、次の演算式が成り立つ。
（Ｙ）＝１．０１６（Ｘ１）＋１３．０４（Ｘ２）−０．０３５５（Ｘ３）−３．２
【００３３】
尚、生長点付近における飽和水蒸気量は、生長点温度センサ９０の測定する温度に基づいて演算される。生長点付近の絶対湿度は、生長点湿度センサ９１が絶対湿度を測定するものであればよいが、生長点湿度センサ９１が相対湿度を測定するものであっても、該相対湿度と生長点温度センサの測定する温度に基づいて得られるものである。
【００３４】
従って、生長点温度センサ９０、日射量センサ４０及び生長点湿度センサ９１で得られる測定値を使用し、この演算式に基づいて葉温を求め、該葉温が予め設定した設定葉温よりも高い場合、後述するノズル５２ａから冷水を噴霧して生長点付近を冷却する。尚、この冷水の噴霧が葉に付着することにより、気化熱により葉温を低下させる作用が働く。具体例として、設定葉温を２０度としたとき、演算される葉温が設定葉温よりも３度以上高いと（葉温が２３度以上になると）、ノズル５２ａにより生長点付近を冷却するようにすればよい。
【００３５】
逆に、求められる葉温が予め設定した設定葉温よりも低い場合、後述するノズル５２ａから温水を噴霧して生長点付近を暖房する。具体例として、設定葉温を２０度としたとき、演算される葉温が設定葉温よりも３度以上低いと（葉温が１７度以下になると）、ノズル５２ａにより生長点付近を暖房するようにすればよい。
尚、夏場と冬場で、異なる設定葉温を各々設定してもよい。
【００３６】
このように、部位別温度制御部により、植物の生体情報を計測して生育状態を診断し、植物株の生育状態に応じた第一と第二の熱作用部による部位別の温度管理による効率の良い生育栽培が可能となることから、本システムにより、園芸温室や太陽光利用型植物工場温室の生産性向上において緊急の課題である、夏期の高温障害や冬期の低温障害による収穫量の減少と、温度制御のためのエネルギーコストの増大を同時に解決し、従来の方法（温室全体を温度制御する）と比べて、石油消費量の５０％程度削減と夏期および冬期の収穫量増大（約１割）を実現することができる。具体例として、生長点付近の温度を摂氏２０度に制御するが、温室全体の温度（室温）を摂氏１２度に制御することにより、暖房のエネルギーコストを抑えるようにすればよい。
従来は、温室全体を冷暖房し、温室全体の温度（室温）を制御していたので、エネルギーコストがかかっていた。
【００３７】
一般に、植物栽培について、生長点暖房と細霧冷房システムは、ほぼ同じ配置とすることが可能であることから、個別設置のコストを要することなく冬季は暖房とし、夏期は冷却として生育に重要な冷暖房が可能で、生長点Ｇの冷却により栽培時期の延長による収量増収が可能となる。例えば、熱源をチラー５１ａにより構成し、また、熱作用部としての配管５２には、図１６の配管部の拡大図に示すように、噴霧方向Ａと暖房時の噴霧不可方向Ｂについて方向設定可能なノズル５２ａ，５２ａを設け、ボイラー５１ｂによる温水暖房、動力噴霧機５１ｃによる養液薬剤散布を含む細霧冷却を切替え可能に構成することができる。尚、ノズル５２ａを設けず、配管５２に冷水又は温水を流すことにより冷暖房を行う構成としてもよい。
【００３８】
また、根圏については、夏場と冬場で各々設定温度を設定し、該設定温度となるよう根圏用配管５２ｒに冷水又は温水を流して温度制御すればよい。前記設定温度は、前述の求められる葉温に応じて、葉温が高いときに低く、葉温が低いときに高くなるよう、補正制御されるようにしてもよい。
【００３９】
また、図１７のシステム展開図に示すように、生長点暖房・冷却の各ラインに電磁弁５２ｖ…を設けてライン制御可能に構成し、ライン毎に生育に合わせて生長点環境を制御する。このようなライン別の制御により、生育の均一性を保つことができ、収量の増加が可能となる。
【００４０】
二次暖房の配管５４には、図２２の部分縦断側面図に示すように、放熱保護用の筒状の断熱材による保護筒５５を取付け、この保護筒５５が自動的に移動可能に構成し、配管５４に設けた磁気テープを利用してグループ化を行うことにより、生育に問題がないところを保護し、問題があるところを開放することにより、生育むらを解消することができる。
【００４１】
なお、遮蔽カーテン３４については、生長点の付近に温水を流したパイプを吊し、そのパイプからの自然対流熱伝達によって生長点付近のみを暖房する方式では、そのパイプから放熱された熱は植物工場全体に拡散して生長点の暖房としては効率が良くないことから、植物株の上に水平に展張される保温フィルムを垂れ下げることで、暖房効率を大幅に向上することができる。
【００４２】
次に、二酸化炭素の施用については、二酸化炭素配管５６をライン間に配置して二酸化炭素循環扇連動制御システムを設けるとともに、周辺空気と混合されて二酸化炭素濃度が十分でない可能性があるので、図２１の要部配管系統図に示すように、ラインの両サイドも二酸化炭素配管５６ｂにより同様に二酸化炭素を施用することで、目的のライン生育の遅れが解消されて生育の均一化が可能となる。
【００４３】
（給液システム）
次に、水耕養液の給液システムについて説明する。
夏期においては養液配管内に滞留されている養液が日射や大気温度によって約４０℃まで上昇し、この高温の養液を給液すると植物の根圏に悪影響を及ぼすという問題があり、その解決のために、水耕養液の給液システムは、図２３のシステム展開図に示すように、給液用ポンプ６１ａによる養液装置から連通する養液の給液配管６１について養液混合タンク６２まで戻す還流管６３を設置し、この還流管６３に電磁弁６４ａ、６４ｂを設けるとともに、養液混合タンク６２に循環用ポンプ６５を設ける。
【００４４】
給液時は、両電磁弁６４ａ、６４ｂを閉止して給液用ポンプ６１ａにより給液し、次の給液までの間は、両電磁弁６４ａ、６４ｂを開放して循環用ポンプ６５により養液循環を行う。この循環用ポンプ６５による循環動作は、ドリップチューブ６６のドリッパーより養液が出ない程度の能力で運転することにより、配管内の温度を一定（約２０℃）に保ち、植物の根圏環境を改善することができる。具体的には、収穫終期の６，７月は収量増収および生活障害の回避、７〜９月は育苗時の高温ストレスによる不着米、生育遅れの回避が可能となる。なお、給液用ポンプ６１ａと循環用ポンプ６５は１台のポンプをインバータにより循環時に低速運転することにより同様に構成することができる。
【００４５】
（培地温度制御）
次に、イチゴ用栽培ベッド７１は、図２４の２つの使用態様（ａ）、（ｂ）に示すように、寒冷期は培地の中にホースを配置し、その中に温水を流して培地を暖める加温用ホース７２ａとし、また、温暖期は培地の上位置にホースを引き上げてその中に冷水を流してクラウン部を冷却する冷却ホース７２ｂとして構成する。このように培地加温用とイチゴ株のクラウン部冷却用のホース７２ａ，７２ｂを兼用することにより、イニシャルコストを半減することができる。
【００４６】
（組立型栽培ベッド）
次に、組立型栽培ベッドについて説明する。
従来構成の栽培ベッドは、発泡スチロール内に排水溝を一体形成したものであり、その排水用の水準精度を確保して据付施工するために多くの手間を強いられるという問題があったことから、この問題を解消するために、栽培ベッドを以下のように組立型に構成する。
【００４７】
すなわち、組立型栽培ベッドは、図２５の断面図に示すように、袋培地８１を側柱８２，８２と挿し込み式の桁材８３によって受け、この桁材８３の下方に排水を受ける排水樋８４を排水金具８５によって支持する。この排水金具８５は、チョウボルトナット８５ａ、８５ａによって桁材８３に対して高さ調節可能に連結して構成することにより、チョウボルトナット８５ａ、８５ａの操作のみで排水樋８４の傾斜調節が随時可能となるので、袋培地８１の架設の水準精度を問わない簡易な据付施工が可能となる。
【符号の説明】
【００４８】
１  温室（栽培ハウス）
５  栽培ベッド（栽培床）
１３  誘引紐（誘引吊部材）
１９  給液パイプ
３４  遮光カーテン（遮蔽カーテン）
４０  日射量センサ
４１  暖房装置
４４  支配管
４５  戻配管
４６  通路上配管
５１  二次暖房兼用型細霧冷房システム
５２  配管（熱作用部）
５２ａ  ノズル
５２ｒ  熱作用部
５４  配管
９０  生長点温度センサ
９１  生長点湿度センサ
Ｇ  生長点
Ｋ  植物株
【図１】
0005407056.tif 000002
【図２】
0005407056.tif 000003
【図３】
0005407056.tif 000004
【図４】
0005407056.tif 000005
【図５】
0005407056.tif 000006
【図６】
0005407056.tif 000007
【図７】
0005407056.tif 000008
【図８】
0005407056.tif 000009
【図９】
0005407056.tif 000010
【図１０】
0005407056.tif 000011
【図１１】
0005407056.tif 000012
【図１２】
0005407056.tif 000013
【図１３】
0005407056.tif 000014
【図１４】
0005407056.tif 000015
【図１５】
0005407056.tif 000016
【図１６】
0005407056.tif 000017
【図１７】
0005407056.tif 000018
【図１８】
0005407056.tif 000019
【図１９】
0005407056.tif 000020
【図２０】
0005407056.tif 000021
【図２１】
0005407056.tif 000022
【図２２】
0005407056.tif 000023
【図２３】
0005407056.tif 000024
【図２４】
0005407056.tif 000025
【図２５】
0005407056.tif 000026